【手続補正書】
【提出日】平成19年8月21日(2007.8.21)
【手続補正１】
【補正対象書類名】特許請求の範囲
【補正対象項目名】請求項１
【補正方法】変更
【補正の内容】
【請求項１】
光軸判定用ダミー光と、当該光軸判定用ダミー光のビーム広がりよりも小さいビーム広がりの信号光とを同一光軸上で出力可能なデータ送信装置（１０）が、データ受信装置（１２）の受光部を横切るように当該光軸判定用ダミー光を走査出力し、
当該データ受信装置（１２）が、所定光レベル以上の当該光軸判定用ダミー光を受光すると、当該データ送信装置（１０）に受信可能を通知すると共にデータ受信を準備し、
当該データ送信装置（１０）は、当該データ受信装置（１２）からの当該受信可能の通知に従い、当該信号光を当該データ受信装置（１２）に向け出力し、
当該データ受信装置（１２）が、当該データ送信装置（１０）からの当該信号光を受光して、当該データを受信する
ことを特徴とするデータ伝送方法。
【手続補正２】
【補正対象書類名】特許請求の範囲
【補正対象項目名】請求項８
【補正方法】変更
【補正の内容】
【請求項８】
当該携帯端末装置が携帯電話器であることを特徴とする請求項６に記載の携帯端末装置。
【手続補正３】
【補正対象書類名】特許請求の範囲
【補正対象項目名】請求項１６
【補正方法】変更
【補正の内容】
【請求項１６】
データ送信装置（１１０）からレーザ光の空間伝送により搬送されるデータを受信するデータ受信装置であって、
当該レーザ光を電気信号に変換する受光器（１３２，１５２−１〜１５２−ｎ，１５４）と、
当該データ送信装置（１１０）からのレーザ光を当該受光器（１３２，１５２−１〜１５２−ｎ，１５４）に集光する集光光学系（１３０，１５０）と、
当該受光器（１３２，１５２−１〜１５２−ｎ，１５４）の出力電気信号のレベルを判定するレベル判定器（１３４）と、
当該レベル判定器（１３４）の判定結果に従い、当該受光器（１３２，１５２−１〜１５２−ｎ，１５４）の出力電気信号が所定レベル以上の場合に、当該データ送信装置（１１０）に受信可能信号を送信する送信回路（１３６）と、
当該レベル判定器（１３４）の判定結果に従い、当該受光器（１３２，１５２−１〜１５２−ｎ，１５４）の出力電気信号が所定レベル以上の場合に、当該受光器（１３２）の出力電気信号からのデータ復調を準備し、当該受光器（１３２）の出力電気信号に含まれるデータを復調するデータ復調回路（１３８）と、
当該データの受信結果を通知する受信結果通知手段（１４２）
とを具備することを特徴とするデータ受信装置。
【手続補正４】
【補正対象書類名】明細書
【補正対象項目名】０００６
【補正方法】変更
【補正の内容】
【０００６】
本発明に係るデータ伝送方法では、先ず、光軸判定用ダミー光と、当該光軸判定用ダミー光のビーム広がりよりも小さいビーム広がりの信号光とを同一光軸上で出力可能なデータ送信装置が、データ受信装置の受光部を横切るように当該光軸判定用ダミー光を走査出力する。当該データ受信装置が、所定光レベル以上の当該光軸判定用ダミー光を受光すると、当該データ送信装置に受信可能を通知すると共にデータ受信を準備する。当該データ送信装置は、当該データ受信装置からの当該受信可能の通知に従い、当該信号光を当該データ受信装置に向け出力する。当該データ受信装置が、当該データ送信装置からの当該信号光を受光して、当該データを受信する。
【手続補正５】
【補正対象書類名】明細書
【補正対象項目名】００１１
【補正方法】変更
【補正の内容】
【００１１】
本発明に係るデータ受信装置は、データ送信装置からレーザ光の空間伝送により搬送されるデータを受信するデータ受信装置であって、当該レーザ光を電気信号に変換する受光器と、当該データ送信装置からのレーザ光を当該受光器に集光する集光光学系と、当該受光器の出力電気信号のレベルを判定するレベル判定器と、当該レベル判定器の判定結果に従い、当該受光器の出力電気信号が所定レベル以上の場合に、当該データ送信装置に受信可能信号を送信する送信回路と、当該レベル判定器の判定結果に従い、当該受光器の出力電気信号が所定レベル以上の場合に、当該受光器の出力電気信号からのデータ復調を準備し、当該受光器の出力電気信号に含まれるデータを復調するデータ復調回路と、当該データの受信結果を通知する受信結果通知手段とを具備することを特徴とする。
【手続補正６】
【補正対象書類名】明細書
【補正対象項目名】００３４
【補正方法】変更
【補正の内容】
【００３４】
ダミー光によりデータ復調回路３８がデータ復調を準備しているので、データ復調回路３８は、フォトダイオード３２が信号光の入射に応じた電気信号を出力すると直ぐに、データ復調を開始できる。データ復調回路３８は、復調されたデータをメモリ４０に格納する。データ復調回路３８は、フォトダイオード３２の出力電気信号からデータ送信終了信号を検出すると、データ復調を終了する。必要なデータの復調を正常に終了している場合には、表示装置４２に正常受信が表示される。空間データ伝送が途切れた場合等、データを正常に受信できていない場合には、制御回路３４は、表示装置４２の画面にデータ受信の異常、即ち受信失敗を表示する。正常／異常受信の結果を、表示装置４２による表示に代えて音声による通知を採用しても良いし、又は、表示装置４２による表示と音声による通知を併用しても良い。
【手続補正７】
【補正対象書類名】明細書
【補正対象項目名】００４３
【補正方法】変更
【補正の内容】
【００４３】
フォトダイオード１３２は、入射光強度に応じた振幅の電気信号を出力する。制御回路１３４は、フォトダイオード１３２の出力電気信号レベルを検出し、その検出結果に従い、送信回路１３６、データ復調回路１３８、及びスピーカ１４４を制御する。
【手続補正８】
【補正対象書類名】明細書
【補正対象項目名】００４４
【補正方法】変更
【補正の内容】
【００４４】
制御回路１３４は、その第１の機能として、フォトダイオード１３２の入射光レベルがデータ受信可能なレベル以上になると、受信可能をデータ送信装置１０（の受信回路２８）に通知するように送信回路１３６に指示し、且つ、データ復調回路３８には、データ復調の開始をデータ復調回路３８に指示する。本実施例では、信号光に先行するダミーレーザ光が無いので、フォトダイオード１３２に入射する信号光の光パワーがデータ受信に十分か否かが判定される。
【手続補正９】
【補正対象書類名】明細書
【補正対象項目名】００５８
【補正方法】変更
【補正の内容】
【００５８】
信号光のビーム広がりを小さくしてあるので、フォトダイオード１３２には十分な光量の信号光が入射可能であり、その結果として、信号光の伝送レートを、例えば、１Ｇｂｐｓのように高速に設定できる。信号光は、フォトダイオード１３２を刹那的ではあるが、第１実施例よりは長い時間で横切るので、第１実施例よりは長い時間、フォトダイオード１３２に信号光が入射しうる。信号光がフォトダイオード１３２に入射する時間がこのように短くても、データ伝送レートが十分に高いので、例えば、１ＭＢといった画像データであっても、本実施例の方法で、データ送信装置１１０からデータ受信装置１１２に伝送できる。
【手続補正１０】
【補正対象書類名】明細書
【補正対象項目名】００６３
【補正方法】変更
【補正の内容】
【００６３】
データ受信装置１１２ａでは、信号光を集光するレンズ１５０の集光面上に複数のフォトダイオード１５２−１〜１５２−ｎからなるフォトダイオードアレイを配置し、加算器１５４が、フォトダイオード１５２−１〜１５２−ｎの出力電気信号を加算する。複数のフォトダイオード１５２−１〜１５２−ｎは例えば、ラインセンサのように、直線的に配置されるか、又は、カメラ機能撮像素子のように、二次元的に配置される。加算器１５４は、回路上は、いわゆるワイヤードオアで実現される。加算器１５４の出力電気信号が、制御回路１３４とデータ復調回路１３８に印加される。データ復調装置１１２ａのその他の構成要素の作用は、第２実施例と同じであるので、詳細な説明は省略する。